(57)【要約】【課題】録画予約された録画予約情報を定期的にネットワーク上のサーバに保存し、必要時に最新の録画予約情報を復元できるようにした録画装置および録画システムを提供する。【解決手段】ＤＶＤレコーダ２は、一定時間が経過する毎に、現時点で記憶部２９に保存されている設定情報を設定情報ファイルに変換する。ＤＶＤレコーダ２は、Webサーバ４と接続すると、自装置のアカウントをWebサーバ４に送信する。Webサーバ４は、ネットワーク５を介してアカウントが送信されると、そのアカウントに対応する設定情報ファイル４４Ｃを特定する。一方、ＤＶＤレコーダ２は、変換した設定情報ファイルをWebサーバ４に送信する。Webサーバ４は、ＤＶＤレコーダ２から最新の設定情報ファイルが送信されると、その最新の設定情報ファイルに基づいて設定情報ファイル４４Ｃを最新の情報に更新する。【選択図】  図１
2010161530.tif 000002
【特許請求の範囲】
【請求項１】
放送されるテレビ番組の放送波を受信する受信手段と、
録画予約の設定を受付ける予約受付手段と、
前記予約受付手段で設定された前記録画予約の内容に基づいて、前記受信手段で受信されるテレビ番組の番組データをメディアに録画する録画手段と、
を備えた録画装置において、
前記予約受付手段で設定された前記録画予約の内容を示す録画予約情報を含む設定情報を登録する第一記憶手段と、
前記第一記憶手段に登録されている前記設定情報を、一定時間毎に、予め定められたサーバにネットワークを介して送信して保存する通信手段と、を有することを特徴とする録画装置。
【請求項２】
前記第一記憶手段に登録されている前記設定情報の前記サーバへの送信を受け付ける操作手段を有することを特徴とする請求項１に記載の録画装置。
【請求項３】
前記メディアは、ＤＶＤ、又はブルーレイディスクであることを特徴とする請求項１又は２に記載の録画装置。
【請求項４】
請求項１から３のいずれかに記載の録画装置と、
前記録画装置から前記ネットワークを介して送信された前記設定情報と、前記録画装置を特定するアカウントと、を対応付けて保存する第二記憶手段を有するサーバと、
を備える録画システムであって、
前記サーバは、前記録画装置からのアクセスがあると、その録画装置のアカウントに対応する前記設定情報を前記第二記憶手段から読み出し、前記ネットワークを介して前記録画装置に返信する返信手段を有し、
前記録画装置の前記通信手段は、前記返信手段から返信された前記設定情報を前記第一記憶手段に登録することを特徴とする録画システム。
【発明の詳細な説明】
【技術分野】
【０００１】
本発明は、テレビ番組の放送波を受信し、録画予約の内容に基づいてテレビ番組の番組データをメディアに録画する録画装置、及びこの録画装置を用いた録画システムに関するものである。
【背景技術】
【０００２】
従来から、テレビ番組の放送波を受信し、テレビ番組をメディアに録画する録画装置が一般に広く普及している。このような録画装置としては、例えばＤＶＤレコーダが挙げられる。
【０００３】
ユーザは、自身が好むテレビ番組を録画装置に録画予約する。例えば、毎週金曜日の２１時から２２時に放送されるドラマや、平日の１９時から２０時に放送されるアニメなどのテレビ番組を録画装置に録画予約する。近年、ディジタル放送技術の進展に伴って放送の多チャンネル化が進んでおり、録画予約されるテレビ番組の数も増加傾向にある。
【０００４】
録画装置は、録画予約された内容を示す録画予約情報に基づいて該テレビ番組をメディアに録画する。そして、その録画が完了すると、ユーザはメディアを再生して、録画したテレビ番組を視聴していた。
なお、特許文献１では、ネットワークカスタマイズサービスが提案されている。
【先行技術文献】
【特許文献】
【０００５】
【特許文献１】特開２００４−３３６５７４公報
【発明の概要】
【発明が解決しようとする課題】
【０００６】
しかしながら、上記従来の録画装置において、録画予約された録画予約情報が操作ミスや不具合等によって失われてしまう場合があった。この場合、録画予約情報を復元するために、ユーザは自分の記憶を手がかりに同じテレビ番組をもう一度録画予約しなければならない。そのため、従来の録画装置では、録画予約情報が失われてしまった場合、録画予約情報を復元するために非常に多くの手間がかかっていた。また、ユーザの中には多くのテレビ番組を録画予約するユーザも存在し、このようなユーザでは録画予約情報を正確に復元することが難しかった。
【０００７】
本発明はこのような従来の課題を解決しようとするものであり、録画予約された録画予約情報を定期的にネットワーク上のサーバに保存し、必要時に最新の録画予約情報を復元できるようにした録画装置および録画システムを提供することを目的とする。
【課題を解決するための手段】
【０００８】
本発明の録画装置は、前記課題を解決するために以下の構成を備えている。
【０００９】
（１）放送されるテレビ番組の放送波を受信する受信手段と、
録画予約の設定を受付ける予約受付手段と、
前記予約受付手段で設定された前記録画予約の内容に基づいて、前記受信手段で受信されるテレビ番組の番組データをメディアに録画する録画手段と、
を備えた録画装置において、
前記予約受付手段で設定された前記録画予約の内容を示す録画予約情報を含む設定情報を登録する第一記憶手段と、
前記第一記憶手段に登録されている前記設定情報を、一定時間毎に、予め定められたサーバにネットワークを介して送信して保存する通信手段と、を有することを特徴とする。
【００１０】
この構成において、ユーザは、自身が好むテレビ番組を予約受付手段で録画装置に録画予約する。録画予約された内容を示す録画予約情報は、第一記憶手段に登録される。そして、録画装置は、第一記憶手段に登録されている録画予約情報に基づいて該テレビ番組をメディアに録画する。メディアは、例えば、光ディスク、磁気ディスク、半導体メモリである。
この構成では、通信手段が、一定時間が経過する毎に、現時点で第一記憶手段に登録されている設定情報をサーバに保存する。
以上より、録画予約された録画予約情報を含む設定情報は定期的にネットワーク上のサーバに自動で保存される。そのため、録画予約された録画予約情報が操作ミスや不具合等によって失われた場合でも、サーバに保存した設定情報を用いることで、直近の録画予約情報に復元することができる。よって、録画予約情報を復元するために、ユーザが同じテレビ番組をもう一度録画予約していた手間を省くことができる。従って、ユーザの使い勝手を向上できる。また、サーバに保存した録画予約情報を用いるため、ユーザが多くのテレビ番組を録画装置に録画予約していても、正確な録画予約情報を簡単に復元することができる。また、録画装置を買い換えた場合、サーバに保存した設定情報を用いることで、ユーザは録画予約を再設定する必要が無くなる。
【００１１】
（２）前記第一記憶手段に登録されている前記設定情報の前記サーバへの送信を受け付ける操作手段を有することを特徴とする。
【００１２】
この構成において、ユーザは操作手段を操作することにより所望のタイミングで録画予約情報をネットワーク上のサーバに保存することができる。従って、ユーザの使い勝手が一層向上できる。
【００１３】
（３）前記メディアは、ＤＶＤ、又はブルーレイディスクであることを特徴とする。
【００１４】
また、本発明の録画システムは、前記課題を解決するために以下の構成を備えている。
【００１５】
（４）上記（１）から（３）のいずれかに記載の録画装置と、
前記録画装置から前記ネットワークを介して送信された前記設定情報と、前記録画装置を特定するアカウントと、を対応付けて保存する第二記憶手段を有するサーバと、
を備える録画システムであって、
前記サーバは、前記録画装置からのアクセスがあると、その録画装置のアカウントに対応する前記設定情報を前記第二記憶手段から読み出し、前記ネットワークを介して前記録画装置に返信する返信手段を有し、
前記録画装置の前記通信手段は、前記返信手段から返信された前記設定情報を前記第一記憶手段に登録することを特徴とする。
【００１６】
この構成における録画システムは、上記（１）の録画装置を用いる。
【００１７】
よって、この構成では上記（１）と同様の効果を奏する。
【発明の効果】
【００１８】
この発明によれば、録画予約された録画予約情報が操作ミスや不具合等によって失われた場合でも、サーバに保存した設定情報を用いることで、直近の録画予約情報に復元することができる。
【図面の簡単な説明】
【００１９】
【図１】本発明の実施形態である録画システムのシステム構成図
【図２】上記録画システムに用いられるＤＶＤレコーダの主要な構成を示すブロック図
【図３】上記録画システムに用いられるWebサーバの主要な構成を示すブロック図
【図４】上記ＤＶＤレコーダと上記Webサーバの両制御部が定期的に行う動作を示すフローチャート
【図５】上記Webサーバのハードディスクに保存されている対応表の内容を示す図
【図６】上記対応表中の設定情報ファイルの内容を示す図
【図７】上記ＤＶＤレコーダと上記Webサーバの両制御部が復元時に行う動作を示すフローチャート
【発明を実施するための形態】
【００２０】
以下、本発明の実施形態である録画システムについて説明する。
【００２１】
図１は、本発明の実施形態である録画システムのシステム構成図である。録画システム１０１は、放送局から伝送されてきたテレビ放送信号を受信するアンテナ６と、DVD１００がセットされるＤＶＤレコーダ２と、インタフェースを介してＤＶＤレコーダ２と接続されるテレビジョン（以下、「TV」と称する）３と、ネットワーク５を介してＤＶＤレコーダ２と接続されるWebサーバ４と、を備える。
【００２２】
なお、ＤＶＤレコーダ２及びTV３は、各ユーザの家で使用される。Webサーバ４は、ネットワーク５上に設けられたサーバである。つまり、Webサーバ４が１台に対し、ＤＶＤレコーダ２を含む複数台の録画装置がネットワーク５を介して接続されている。
【００２３】
DVD１００は、ＤＶＤ（Digital  Versatile  Disk）規格に準拠して製造されたＤＶＤ−RＷである。DVD１００は、ユーザが過去に購入して所持しているディスクとする。
【００２４】
ＤＶＤレコーダ２は、後述の録画予約情報に基づいて、アンテナ６で受信されるテレビ放送信号に含まれるテレビ番組の信号（番組データ）をDVD１００に録画する。また、ＤＶＤレコーダ２は、DVD１００から番組データを読み取り、インタフェースを介してTV３に出力する。これにより、ＤＶＤレコーダ２は、DVD１００に録画したテレビ番組をTV３で再生する。
【００２５】
ネットワーク５は、この実施形態ではインターネットとする。
【００２６】
図２は、録画システムに用いられるＤＶＤレコーダの主要な構成を示すブロック図である。ＤＶＤレコーダ２は、装置本体２の各部の動作を制御する制御部２１と、選択されているチャンネルで放送されるテレビ番組の放送波を受信する受信部２６と、その放送波からテレビ番組の番組データを取り出す記録読取回路２３と、DVD１００に対しデータの記録および読取を行うピックアップヘッド２２（以下、PUヘッド２２と称する。）と、音声データをアナログの再生音声信号に変換する音声処理部２４と、画像データをアナログの再生画像信号に変換する画像出力部２５と、を備えている。さらに、ＤＶＤレコーダ２は、ユーザの操作を受け付ける操作部２７と、装置本体２を遠隔操作するリモコン２７Aと、情報を表示する表示部２８と、データを保存する記憶部２９と、ルータ（不図示）を介してネットワーク５に接続されているＮＩＣ（Network Interface Card）２０と、を備えている。
【００２７】
PUヘッド２２は、図示しないレーザダイオード（ＬＤ）、コリメータレンズ、ビームスプリッタ、対物レンズ、フォトディテクタ、スレッドモータ、及びアクチュエータを有している。
【００２８】
まず、録画を行う部分の構成について詳述する。
【００２９】
受信部２６は、例えばディジタルチューナで構成される。受信部２６は、制御部２１の指示に基づいて、アンテナ６で受信されるテレビ放送信号から、選択されているチャンネルで放送されるテレビ放送信号を受信（抽出）する。さらに、受信部２６は、そのテレビ放送信号を、ディジタルデータであるトランスポートストリームに復調し、記録読取回路２３に出力する。このトランスポートストリームには、テレビ番組を示す番組データが記述されたパケット群、全チャンネルのテレビ番組の放送予定を示すＥＰＧデータが記述されたパケット群、等が含まれる。ここで、番組データは、例えばＭＰＥＧでエンコードされている。
【００３０】
記録読取回路２３は、複数パケットを蓄積するためのバッファメモリ２３Ａを内蔵する。記録読取回路２３は、入力されたトランスポートストリームから、番組データを取り出し、そのディジタル信号をＰＵヘッド２２に出力する。また、記録読取回路２３は、入力されたトランスポートストリームから、ＥＰＧデータを取り出し、制御部２１に出力する。このＥＰＧデータは、制御部２１によって記憶部２９に記録される。
【００３１】
ＰＵヘッド２２は、記録読取回路２３からディジタル信号が入力されると、このディジタル信号に応じて記録パワーのレーザ光を調整し、光ディスク１００の記録面に照射する。これにより、ＤＶＤレコーダ２は、テレビ番組を光ディスク１００に録画する。
【００３２】
次に、再生を行う部分の構成について詳述する。
【００３３】
PUヘッド２２は、DVD１００に対してレーザ光を照射し、DVD１００からの反射光をフォトディテクタで検出する。これにより、PUヘッド２２は、DVD１００に記録されているデータを光学的に読み出す。
【００３４】
記録読取回路２３は、PUヘッド２２における複数の受光素子の出力に基づいてＲＦ信号を生成し、該ＲＦ信号を増幅する。そして、記録読取回路２３は、該ＲＦ信号を処理して画像と音声のデータを取り出す。ここで、取り出される画像と音声のデータは、バッファメモリ２３Ａに一時的に格納される。そして、記録読取回路２３は、これらのデータをバッファメモリ２３Ａから順次読み出し、例えばＭＰＥＧでデコードする。そして、記録読取回路２３は、音声データを音声処理部２４に、画像データを画像出力部２５に、これらのデータの同期を取りながら、それぞれ出力する。
【００３５】
音声処理部２４は、音声データをアナログの再生音声信号に変換し、その再生音声信号を外部のＴＶ３に出力する。画像出力部２５は、記録読取回路２３から出力された画像データをアナログの再生画像信号に変換し、外部のＴＶ３に出力する。
【００３６】
音声処理部２４及び画像出力部２５には、インタフェースを介してＴＶ３が接続される。ＴＶ３は、ＤＶＤレコーダ２から出力された信号を処理して、画像を画面上に表示したり音声を出力したりする。
【００３７】
ユーザは、このＴＶ３において、音声処理部２４及び画像出力部２５から出力された再生画像信号に基づく画像、及び再生音声信号に基づく音声を視聴することができる。これにより、ユーザは、ＤＶＤ１００に録画されているテレビ番組を視聴する。
【００３８】
表示部２８は、現在時刻、ＤＶＤレコーダ２の設定状態、所定のメッセージなどを表示する。
【００３９】
操作部２７は、ユーザがＤＶＤレコーダ２に対して各種の命令（コマンド）を入力するためのものである。操作部２７には、ユーザの操作を受け付ける複数のキーが設けられている。ＤＶＤレコーダ２に対してユーザが入力したコマンドは制御部２１に伝送される。
【００４０】
複数のキーの中には、DVD１００の再生を指示するための再生キー、テレビ番組をDVD１００に録画するための録画キー、録画予約の設定を受け付ける録画予約キー、設定情報のWebサーバ４への送信を受け付ける設定情報送信キー、設定情報の復元を受け付ける復元キー、が含まれる。ユーザは、この録画予約キーで自身が好むテレビ番組を録画装置に録画予約する。例えば、毎週金曜日の２１時から２２時に放送されるドラマや、平日の１９時から２０時に放送されるアニメなどのテレビ番組を録画装置に録画予約する。録画予約された内容は、後述の記憶部２９に登録される。また、設定情報送信キー及び復元キーの詳細については後述する。
【００４１】
なお、操作部２７には、リモコン信号検出部（不図示）が設けられている。リモコン信号検出部に対し、装置本体の外部からリモコン２７Aを用いて、電源の ON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００４２】
記憶部２９は、例えばＥＥＰＲＯＭで構成されている。記憶部２９は、装置本体２の各部の制御方法が記述された制御プログラムを保存する。さらに、記憶部２９は、装置本体２に対して設定された設定内容を示す設定情報と後述する自装置のアカウントとを保存する。設定情報は、録画予約キーで設定された録画予約の内容を示す録画予約情報と、言語設定やチャンネルリストを示す本体設定情報と、を含む（後述の図６参照）。
【００４３】
まず、録画予約情報について説明する。録画予約情報は、録画予約キーで録画予約されたテレビ番組の番組名とそのテレビ番組の属性を示す番組情報とそのテレビ番組の録画画質とを含む情報である。ここで、番組情報は、録画予約されたテレビ番組が放送されるチャンネル番号、そのテレビ番組の録画開始予定日時と録画終了予定日時、等を含む情報である。また、録画画質のモードには、例えば、９Ｍbpsで録画される最高画質のＨＱ(High Quality)モード、２Ｍbpsで録画されるＳＰ(Standard Play)モード、０、５Ｍbpsで録画される低画質のＬＰ(Long Play)モードがある。
【００４４】
次に本体設定情報について説明する。言語設定には日本語や英語などがあり、デフォルトで日本語に設定されている。チャンネルリストとは、チャンネルスキャンにより取得された受信可能な物理チャンネル（周波数）の一覧を示すリストである。チャンネルスキャンとは、ある周波数からある周波数までテレビ放送信号があるか否かサーチし、受信可能な周波数（チャンネル）を調べることである。
【００４５】
なお、記憶部２９は、さらにWebサーバ４のURLを保存する。このURLは、ネットワーク５上のアドレスを示す情報である。
【００４６】
制御部２１は、例えばマイクロコンピュータで構成される。また、制御部２１は、上記の制御プログラムなどを展開するワークフィールドとしてのＲＡＭ２１Ａと、現在時刻の計時を行うタイマー回路２１Ｂと、を内蔵する。制御部２１は、ＤＶＤレコーダ２にユーザから入力された命令に応じてＤＶＤレコーダ２の各部の動作を制御する。
また、制御部２１は、記憶部２９に保存される録画予約情報に基づいて、受信部２６で受信されるテレビ番組の番組データをDVD１００に録画するようにＰＵヘッド２２及び記録読取回路２３に指示する。即ち、タイマー回路２１Ｂの現在時刻が録画するテレビ番組の録画開始予定時刻になると、制御部２１は、そのテレビ番組が放送されるチャンネルを選択するよう受信部２６及び記録読取回路２３に指示し、そのテレビ番組の番組データをDVD１００に録画するようにＰＵヘッド２２及び記録読取回路２３に指示する。
【００４７】
なお、ＰＵヘッド２２、記録読取回路２３が、本発明の「録画手段」に相当する。また、制御部２１及びＮＩＣ２０が、本発明の「通信手段」に相当する。また、操作部２７及びリモコン２７Aが、本発明の「予約受付手段」に相当する。また、記憶部２９が、本発明の「第一記憶手段」に相当する。
【００４８】
図３は、録画システムに用いられるWebサーバの主要な構成を示すブロック図である。Webサーバ４は、ルータ（不図示）を介してネットワーク５と接続されているNIC（Network Interface Card）４０と、Webサーバ４の各部の動作を制御する制御部４１と、Webサーバ４の各部の制御方法が記述された制御プログラムを保存するハードディスク４２と、を備える。Webサーバ４は、主に、ＤＶＤレコーダ２を販売した会社内に設けられることを想定している。
【００４９】
制御部４１は、例えばMPUである。さらに、制御部４１は、上記制御プログラムを展開するためのワークフィールドとしてのRAM（不図示）を内蔵する。
【００５０】
なお、制御部４１が、本発明の「返信手段」に相当する。また、ハードディスク４２が、本発明の「第二記憶手段」に相当する。
【００５１】
図４は、上記ＤＶＤレコーダと上記Webサーバの両制御部が定期的に行う動作を示すフローチャートである。
【００５２】
制御部２１は、一定時間が経過する毎に（Ｓ１）、又は。設定情報送信キーが押下された時（Ｓ２）、現時点で記憶部２９に保存されている設定情報を設定情報ファイルに変換する（Ｓ３）。一定時間は、例えば１時間、又は１日であり、制御部２１がタイマー回路２１Ｂの現在時刻を監視することで一定時間が経過したことを判定する。
【００５３】
制御部２１は、ネットワーク５に接続し（Ｓ４）、Webサーバ４にアクセスする（Ｓ５）。
【００５４】
Webサーバ４の制御部４１は、ネットワーク５を介して接続された接続機器を認識する（Ｓ１０１）。
【００５５】
図５は、Webサーバ４のハードディスク４２に保存されている対応表４３の内容を示す図である。ハードディスク４２は、過去にアクセスした複数の録画装置のそれぞれを特定するアカウントと、設定情報ファイル４４Ａ〜Ｅと、の対応関係が記述された対応表４３を予め記憶する。
【００５６】
制御部２１は、Webサーバ４と接続すると、自装置のアカウント（この実施形態ではＦ−１２０１とする）をWebサーバ４に送信する（Ｓ６）。
なお、自装置のアカウントが記憶部２９に保存されていない場合、即ち初めてWebサーバ４にアクセスした場合、Webサーバ４の制御部４１は、まず、アクセスしている録画装置のアカウントを対応表４３に追加する。制御部２１は、追加されたアカウントを制御部４１から取得した後、取得したアカウントを記憶部２９に保存する。そして、制御部２１は、上記Ｓ６の処理を行う。
【００５７】
Webサーバ４の制御部４１は、ネットワーク５を介してアカウントが送信されると、そのアカウントに対応する設定情報ファイルを特定する（Ｓ１０２）。この実施形態では、図６に示すような設定情報ファイル４４Ｃが特定される。
【００５８】
図６は、設定情報ファイル４４Ｃの内容を示す図である。設定情報ファイル４４Ｃには、上述の録画予約情報および本体設定情報を含む設定情報が記述されている。
なお、Ｓ１０２において、設定情報ファイルが特定されれば、制御部４１はそのアカウントのログインを許可する。
【００５９】
一方、制御部２１は、自装置のアカウントでログインすると、Ｓ３で変換した設定情報ファイルをWebサーバ４に送信し（Ｓ７）、本処理を終了する。
【００６０】
Webサーバ４の制御部４１は、ＤＶＤレコーダ２から最新の設定情報ファイルが送信されると、その最新の設定情報ファイルに基づいて設定情報ファイル４４Ｃを最新の情報に更新し（Ｓ１０３）、本処理を終了する。
【００６１】
以上より、録画予約された録画予約情報を含む設定情報は定期的にネットワーク５上のWebサーバ４に自動で保存される。そのため、録画予約された録画予約情報が操作ミスや不具合等によって失われた場合でも、Webサーバ４に保存した設定情報を用いることで、直近の録画予約情報及び本体設定情報に復元することができる。よって、録画予約情報を復元するために、ユーザが同じテレビ番組をもう一度録画予約していた手間を省くことができる。従って、ユーザの使い勝手を向上できる。また、Webサーバ４に保存した録画予約情報を用いるため、ユーザが多くのテレビ番組をＤＶＤレコーダ２に録画予約していても、正確な録画予約情報を簡単に復元することができる。また、録画装置を買い換えた場合、Webサーバ４に保存した設定情報を用いることで、ユーザは録画予約を再設定する必要が無くなる。従って、同じメーカの録画装置の購入を促すことができる。
【００６２】
また、ユーザは設定情報送信キーを操作することにより所望のタイミングで録画予約情報をネットワーク５上のWebサーバ４に保存することができる。従って、ユーザの使い勝手が一層向上できる。
【００６３】
図７は、上記ＤＶＤレコーダと上記Webサーバの両制御部が復元時に行う動作を示すフローチャートである。この動作では、録画予約された録画予約情報が操作ミスや不具合等によって失われた場面を想定している。この場面においてユーザは復元キーを押下する。
【００６４】
復元キーが押下されると（Ｓ１１）、制御部２１は、ネットワーク５に接続し（Ｓ１２）、Webサーバ４にアクセスする（Ｓ１３）。
【００６５】
Webサーバ４の制御部４１は、ネットワーク５を介して接続された接続機器を認識する（Ｓ１１１）。
【００６６】
制御部２１は、Webサーバ４と接続すると、自装置のアカウント（この実施形態ではＦ−１２０１とする）をWebサーバ４に送信する（Ｓ１４）。
【００６７】
Webサーバ４の制御部４１は、ネットワーク５を介してアカウントが送信されると、そのアカウントに対応する設定情報ファイルを特定する（Ｓ１１２）。この実施形態では、図６に示すような設定情報ファイル４４Ｃが特定される。
【００６８】
なお、Ｓ１１２において、設定情報ファイルが特定されれば、制御部４１はそのアカウントのログインを許可する。
【００６９】
そして、制御部４１は、設定情報ファイル４４ＣをＤＶＤレコーダ２に送信し（Ｓ１１３）、本処理を終了する。
【００７０】
制御部２１は、Webサーバ４から送信されてＮＩＣ２０に入力する設定情報ファイル４４Ｃを取得すると（Ｓ１５）、設定情報ファイル４４Ｃを記憶部２９に登録し（Ｓ１６）、本処理を終了する。即ち、制御部２１は、最新の設定情報ファイル４４Ｃに基づいて、記憶部２９に登録されている設定情報ファイル４４Ｃを最新の情報に更新する。
【００７１】
以上より、録画予約された録画予約情報が操作ミスや不具合等によって失われた場合でも、ユーザは、復元キーを操作するだけで、Webサーバ４に保存した最新の録画予約情報及び本体設定情報に復元することができる。よって、録画予約情報を復元するために、ユーザが同じテレビ番組をもう一度録画予約していた手間を省くことができる。従って、ユーザの使い勝手を向上できる。また、Webサーバ４に保存した録画予約情報を用いるため、ユーザが多くのテレビ番組をＤＶＤレコーダ２に録画予約していても、正確な録画予約情報を簡単に復元することができる。
【符号の説明】
【００７２】
２…ＤＶＤレコーダ
３…ＴＶ
４…Webサーバ
５…ネットワーク
６…アンテナ
２０…ＮＩＣ
２１…制御部
２１Ａ…ＲＡＭ
２１Ｂ…タイマー回路
２２…ピックアップヘッド
２３…記録読取回路
２４…音声処理部
２３Ａ…バッファメモリ
２５…画像出力部
２６…受信部
２７…操作部
２７A…リモコン
２８…表示部
２９…記憶部
４１…制御部
４２…ハードディスク
４３…対応表
４４Ａ〜Ｅ…設定情報ファイル
１００…光ディスク
１０１…録画システム
【図１】
2010161530.tif 000003
【図２】
2010161530.tif 000004
【図３】
2010161530.tif 000005
【図４】
2010161530.tif 000006
【図５】
2010161530.tif 000007
【図６】
2010161530.tif 000008
【図７】
2010161530.tif 000009